(57)【要約】【課題】構成部品数を低減しつつ高精度で電力を計測する。【解決手段】交流電圧ｅ１、および交流電圧ｅ１が印加された回路４１を流れる交流電流に対応する電流対応電圧ｅｉ１を入力すると共に交流電圧ｅ１および電流対応電圧ｅｉ１をサンプリング期間毎に先のサンプリング期間における順序と逆の順序で出力するマルチプレクサ３と、マルチプレクサ３によって出力された交流電圧ｅ１および電流対応電圧ｅｉ１をディジタルデータＤｖに順次変換して出力するＡ／Ｄ変換部４と、Ａ／Ｄ変換部４によって出力されたディジタルデータＤｖをメモリ６に記憶させる制御部５とを備え、制御部５は、メモリ６に記憶されたディジタルデータＤｖに基づいてサンプリング期間毎の電力値を算出すると共に、そのサンプリング期間毎の電力値を平均することによって回路４１に入力している交流の電力を計測する。【選択図】図１
2005010151.tif 000002
【特許請求の範囲】
【請求項１】
交流電圧、および当該交流電圧が印加された回路を流れる交流電流に対応する電流対応電圧を入力すると共に当該交流電圧および当該電流対応電圧をサンプリング期間毎に先のサンプリング期間における順序と逆の順序で出力するマルチプレクサと、当該マルチプレクサによって出力された前記交流電圧および前記電流対応電圧をディジタルデータに順次変換して出力するＡ／Ｄ変換部と、当該Ａ／Ｄ変換部によって出力された前記ディジタルデータをメモリに記憶させる制御部とを備え、
前記制御部は、前記メモリに前記ディジタルデータとして記憶された前記交流電圧および前記電流対応電圧に基づいて前記回路における前記サンプリング期間毎の電力値を算出すると共に、当該サンプリング期間毎の当該電力値を平均することによって前記回路に入力している交流の電力を計測する電力計。
【請求項２】
交流電圧、および当該交流電圧が共に印加された複数の回路を流れる各交流電流にそれぞれ対応する各電流対応電圧を入力すると共に当該交流電圧および当該各電流対応電圧をサンプリング期間毎に先のサンプリング期間における順序と逆の順序で出力するマルチプレクサと、当該マルチプレクサによって出力された前記交流電圧および前記各電流対応電圧をディジタルデータに順次変換して出力するＡ／Ｄ変換部と、当該Ａ／Ｄ変換部によって出力された前記各ディジタルデータをメモリに記憶させる制御部とを備え、
前記制御部は、前記メモリに前記各ディジタルデータとして記憶された前記交流電圧および前記各電流対応電圧に基づいて前記各回路における前記サンプリング期間毎の電力値を算出すると共に、当該各回路における当該サンプリング期間毎の当該電力値を平均することによって当該各回路に入力している交流の電力を計測する電力計。
【発明の詳細な説明】
【技術分野】
【０００１】
本発明は、入力している交流の電力を計測する電力計に関するものである。
【背景技術】
【０００２】
この種の電力計として、特開昭６２−８０６１号公報に開示された交流計測装置、および特開２０００−３５６６５９号公報に開示された多回路形電力計が知られている。このうち、前者の交流計測装置は、同公報中の第１図に示すように、電流／電圧変換回路１、多相交流の電圧入力を相選択するマルチプレクサ２ａ、多相交流の電流入力を相選択するマルチプレクサ２ｂ、相選択された電圧入力と電流入力を同一タイミングで保持するサンプルホールド回路３ａ，３ｂ、同一タイミングで保持された電圧および電流入力を選択するマルチプレクサ２ｃ、アナログ信号をデジタルデータに変換するＡ／Ｄ変換回路４、Ａ／Ｄ変換回路４のデジタルデータがサイクリックに書き込まれるサンプルメモリ５、各マルチプレクサ２ａ，２ｂと各サンプルホールド回路３ａ，３ｂとＡ／Ｄ変換回路４とサンプルメモリ５との動作タイミングを制御する記憶制御回路６、サンプリングにより得られた計測データを演算処理して出力情報に変換するマイクロコンピュータ７、並びにサンプリングにより得られた計測データおよび演算結果を保存する内部メモリ８を備えている。
【０００３】
この交流計測装置では、電流／電圧変換回路１が、電流入力信号ｉ１〜ｉ３を電圧信号にそれぞれ変換してマルチプレクサ２ｂに出力する。マルチプレクサ２ａは、記憶制御回路６の制御下で、電圧入力信号ｅ１，ｅ２，ｅ３，ｅ１・・・をこの順で選択して出力する。一方、マルチプレクサ２ｂは、記憶制御回路６の制御下で、電流入力信号ｉ１，ｉ２，ｉ３，ｉ１・・・をこの順で選択して、電圧入力信号ｅ１，ｅ２，ｅ３，ｅ１・・・と同一のタイミングで出力する。また、各サンプルホールド回路３ａ，３ｂは、記憶制御回路６の制御下で、各マルチプレクサ２ａ，２ｂによって出力された同一相の電圧入力信号および電流入力信号を同一タイミングでサンプリングする。マルチプレクサ２ｃは、各サンプルホールド回路３ａ，３ｂから出力される２つの信号を選択してＡ／Ｄ変換回路４に出力する。次いで、Ａ／Ｄ変換回路４は、マルチプレクサ２ｃによって選択されたアナログ信号のレベルをデジタルデータに変換する。また、サンプルメモリ５は、このディジタルデータを順次記憶する。一方、マイクロコンピュータ７は、サンプルメモリ５に記憶されているディジタルデータをサンプルデータｅ１ 、ｅ２ 、・・・ｅｎ 、ｉ１ 、ｉ２ 、・・・ｉｎ として読み取ると共に、計測出力としての各種電気量（例えば、電力）の演算を実行する。
【０００４】
上記の交流計測装置によれば、マルチプレクサ２ａ，２ｂおよびサンプルホールド回路３ａ，３ｂが、同一相の電圧入力と電流入力とを同一タイミングでサンプリングするため、交流計測装置の内部における電圧入力と電流入力との間の演算誤差の発生を軽減できる結果、電力等の各種電気量を高精度に計測することが可能となっている。
【０００５】
一方、後者の多回路形電力計は、同公報中の図７に示すように、電圧入力手段１００、電流入力手段２００および電力計測手段３３０を備え、図外の６つの回路に入力する交流の各電力を計測可能に構成されている。この場合、各回路には、図外の３つの系統電圧（交流電圧）のうちのいずれかが印加されて、交流の回路電流が流れているものとする。電圧入力手段１００は、各系統電圧を入力して対応する交流電圧を電力計測手段３３０に出力する。電流入力手段２００は、各回路電流を入力して対応する交流電流を電力計測手段３３０に出力する。電力計測手段３３０は、時分割計測手段３３１および電力演算部３３２を備え、この時分割計測手段３３１は、サンプル＆ホールド部３３１１およびＡ／Ｄ変換器３３１２を備えている。サンプル＆ホールド部３３１１は、系統電圧および回路電流の数に相当する複数のサンプル＆ホールド回路によって構成されて、電圧入力手段１００から出力される各系統電圧の瞬時値、および電流入力手段２００から出力される各回路電流の瞬時値を同時サンプリングして一時保持する。Ａ／Ｄ変換器３３１２は、一時保持されているサンプリングデータを計測ディジタルデータに変換する。電力演算部３３２は、計測ディジタルデータに基づいて各回路に供給されている電力を計算する。
【０００６】
この多回路形電力計では、電圧入力手段１００が、各系統電圧を入力して対応する交流電圧を電力計測手段３３０に出力し、電流入力手段２００が、各回路電流を入力して対応する交流電流を電力計測手段３３０に出力する。次に、電力計測手段３３０のサンプル＆ホールド部３３１１が、各系統電圧および各回路電流を同時にサンプリングしてサンプリングデータを一時保持する。次いで、Ａ／Ｄ変換器３３１２が、サンプリングデータを計測ディジタルデータに変換する。この場合、サンプル＆ホールド部３３１１およびＡ／Ｄ変換器３３１２は、各系統電圧および各回路電流のサンプリングおよび計測ディジタルデータへの変換を交流周期の１サイクルまたは１サイクルの整数倍の時間である１サンプリング期間実行する。この際に、電力演算部３３２が、各回路毎に、系統電圧および回路電流の計測ディジタルデータの積を計算し、１サンプリング期間内におけるその積の和を計算し、さらに積の和の平均値を求めることによって各電力を計算する。
【０００７】
また、上記公報には、複数のサンプル＆ホールド回路によって構成されるサンプル＆ホールド部３３１１に代えて、マルチプレクサおよび１つのサンプル＆ホールド回路を採用して、各系統電圧および各回路電流を順次切り換えてＡ／Ｄ変換器で計測する構成を採用する例についても記載されている。このようにマルチプレクサを用いる構成では、一般的に、各系統電圧および各回路電流を同じ順番で順次切り換えてサンプリングする。具体的には、例えば、系統１〜３の３系統のうちの系統１に回路１，２が接続され、系統２に回路３，４が接続され、かつ系統３に回路５，６が接続されているものとしたときに、マルチプレクサが、系統１電圧、回路１電流、回路２電流、系統２電圧、回路３電流、回路４電流、系統３電圧、回路５電流、回路６電流、系統１電圧・・・の順序でサンプリングしてＡ／Ｄ変換器３３１２に出力する。次いで、Ａ／Ｄ変換器３３１２が、マルチプレクサから順次出力されるサンプリングデータを計測ディジタルデータに変換する。この際に、電力演算部３３２が、各回路毎に、系統電圧および回路電流の計測ディジタルデータの積を計算し、１サンプリング期間内におけるその積の和を計算し、さらに積の和の平均値を求めることによって電力を計算する。
【特許文献１】特開昭６２−８０６１号公報（第２−３頁、第１図）
【特許文献２】特開２０００−３５６６５９号公報（第７−８頁、第７図）
【発明の開示】
【発明が解決しようとする課題】
【０００８】
ところが、従来の各交流計測装置（電力計）には、以下のような解決すべき課題がある。すなわち、各交流計測装置では、電圧入力と電流入力とを同一タイミングでサンプリングする構成のため、電圧入力用と電流入力用にマルチプレクサおよびサンプルホールド回路を個別にそれぞれ設ける必要がある。したがって、構成部品が多くなって製品を安価に製造するのが困難で、これを解決すべきであるという課題が存在する。
【０００９】
一方、マルチプレクサおよびサンプルホールド回路を、電圧入力用と電流入力用とで共用する構成を採用して構成部品を削減することも考えられる。しかしながら、この構成では、上記の特開昭６２−８０６１号公報における従来技術に記載されているように、電圧入力と電流入力のサンプリング位相が相違（位相ずれ）する結果、算出した電力に常に誤差が含まれるという問題が生じる。
【００１０】
具体的には、交流が印加される１つの回路での有効電力Ｐは、下記の式で表される。
【００１１】
Ｐ＝Ｅ・Ｉ・ｃｏｓ（θ＋α）
＝Ｅ・Ｉ・（ｃｏｓθ・ｃｏｓα−ｓｉｎθ・ｓｉｎα）
なお、この式において、Ｅは電圧の実効値、Ｉは電流の実効値、θは電圧と電流の位相差、αはサンプリング位相を意味する。
【００１２】
この場合、一般的に、αが１よりも十分に小さいため、次の式が成立する。
ｃｏｓα≒１、ｓｉｎα≒α
この結果、有効電力Ｐは、下記の式で表される。
Ｐ＝Ｅ・Ｉ・ｃｏｓθ−α・Ｅ・Ｉ・ｓｉｎθ
【００１３】
したがって、このような構成を採用した場合、サンプリング位相αが生じないときの有効電力（Ｐ＝Ｅ・Ｉ・ｃｏｓθ）と比較して、（α・Ｅ・Ｉ・ｓｉｎθ）に相当する測定上の誤差が生じるという問題点がある。
【００１４】
本発明は、かかる課題を解決するためになされたものであり、構成部品数を低減しつつ高精度で電力を計測し得る電力計を提供することを主目的とする。
【課題を解決するための手段】
【００１５】
上記目的を達成すべく請求項１記載の電力計は、交流電圧、および当該交流電圧が印加された回路を流れる交流電流に対応する電流対応電圧を入力すると共に当該交流電圧および当該電流対応電圧をサンプリング期間毎に先のサンプリング期間における順序と逆の順序で出力するマルチプレクサと、当該マルチプレクサによって出力された前記交流電圧および前記電流対応電圧をディジタルデータに順次変換して出力するＡ／Ｄ変換部と、当該Ａ／Ｄ変換部によって出力された前記ディジタルデータをメモリに記憶させる制御部とを備え、前記制御部は、前記メモリに前記ディジタルデータとして記憶された前記交流電圧および前記電流対応電圧に基づいて前記回路における前記サンプリング期間毎の電力値を算出すると共に、当該サンプリング期間毎の当該電力値を平均することによって前記回路に入力している交流の電力を計測する。
【００１６】
また、請求項２記載の電力計は、交流電圧、および当該交流電圧が共に印加された複数の回路を流れる各交流電流にそれぞれ対応する各電流対応電圧を入力すると共に当該交流電圧および当該各電流対応電圧をサンプリング期間毎に先のサンプリング期間における順序と逆の順序で出力するマルチプレクサと、当該マルチプレクサによって出力された前記交流電圧および前記各電流対応電圧をディジタルデータに順次変換して出力するＡ／Ｄ変換部と、当該Ａ／Ｄ変換部によって出力された前記各ディジタルデータをメモリに記憶させる制御部とを備え、前記制御部は、前記メモリに前記各ディジタルデータとして記憶された前記交流電圧および前記各電流対応電圧に基づいて前記各回路における前記サンプリング期間毎の電力値を算出すると共に、当該各回路における当該サンプリング期間毎の当該電力値を平均することによって当該各回路に入力している交流の電力を計測する。
【発明の効果】
【００１７】
請求項１記載の電力計によれば、制御部がメモリに記憶された電流対応電圧および交流電圧に基づいてサンプリング期間毎の電力値を算出すると共にサンプリング期間毎の電力値を平均して入力している交流の電力を計測することにより、マルチプレクサおよびＡ／Ｄ変換部をそれぞれ１つで構成したことに起因してマルチプレクサの切換選択の周期に相当する位相差（サンプリング位相）が交流の電流および電圧の間に存在していたとしても、サンプリング位相が存在しないときの電力と殆ど同一の値の電力を計測することができる。したがって、この電力計によれば、少なくとも交流電圧用および交流電流用のマルチプレクサをそれぞれ設けている従来の電力計の構成と比較して、構成部品数を低減しつつ回路に入力している電力を同等の高い精度で計測することができる。
【００１８】
請求項２記載の電力計によれば、制御部がメモリに記憶された交流電圧および各電流対応電圧に基づいて各回路におけるサンプリング期間毎の電力値を算出すると共にサンプリング期間毎の電力値を平均して各回路に入力している交流の電力を計測することにより、マルチプレクサおよびＡ／Ｄ変換部をそれぞれ１つで構成したことに起因してマルチプレクサの切換選択の周期および切換選択の順番に対応する位相差（サンプリング位相）が各回路における交流の電圧および電流の間に存在していたとしても、サンプリング位相が存在しないときの電力と殆ど同一の値の電力を計測することができる。したがって、この電力計によれば、各回路の交流電圧用および交流電流用の複数のサンプルホールド回路を設けている従来の電力計の構成と比較して、構成部品数を低減しつつ多回路に入力している電力を高い精度で計測することができる。
【発明を実施するための最良の形態】
【００１９】
以下、添付図面を参照して、本発明に係る電力計の最良の一形態について説明する。
【００２０】
まず、本発明の電力計１の構成について、図面を参照して説明する。
【００２１】
電力計１は、図１に示すように、Ｉ／Ｖ変換部（電流／電圧変換部）２、マルチプレクサ３、Ａ／Ｄ変換部４、制御部５、メモリ６および出力部７を備え、一例として、Ｒ相に接続された回路４１に入力している有効電力Ｐｒ、Ｓ相に接続された回路４２に入力している有効電力Ｐｓ、およびＴ相に接続された回路４３に入力している有効電力Ｐｔをそれぞれ計測可能に構成されている。すなわち、電力計１は、Ｒ相等の１系統に接続された１回路に入力している有効電力Ｐを、複数回路について同時に計測可能に構成されている。この場合、Ｒ相、Ｓ相およびＴ相には、それぞれに印加されている各交流電圧を電力計１による計測が可能な交流電圧ｅ１，ｅ２，ｅ３にそれぞれ変換する計器用変圧器１１，１２，１３が接続されている。また、Ｒ相、Ｓ相およびＴ相には、回路４１，４２，４３に入力される交流電流を電力計１による計測が可能な交流電流ｉ１，ｉ２，ｉ３に変換する計器用変流器２１，２２，２３がそれぞれ配置されている。
【００２２】
この場合、Ｉ／Ｖ変換部２は、Ｒ相、Ｓ相およびＴ相の各交流電流ｉ１，ｉ２，ｉ３（以下、特に区別しないときには「交流電流ｉ」ともいう）を、その電流値に比例して電圧値が変化する電流対応電圧ｅｉ１，ｅｉ２，ｅｉ３（以下、特に区別しないときには「電流対応電圧ｅｉ」ともいう）にそれぞれ変換して出力する。マルチプレクサ３は、一例として６入力１出力の構成を備え、Ｒ相、Ｓ相およびＴ相の各交流電圧ｅ１，ｅ２，ｅ３（以下、特に区別しないときには「交流電圧ｅ」ともいう）と、Ｉ／Ｖ変換部２から出力される電流対応電圧ｅｉ１，ｅｉ２，ｅｉ３との内の１つを、入力した選択指示Ｓ１の内容に従って切換選択して選択出力Ｓ２として出力する。Ａ／Ｄ変換部４は、トリガ信号Ｓ３を入力したタイミングで、入力している選択出力Ｓ２をその電圧値に応じたディジタルデータＤｖに変換して出力する。
【００２３】
制御部５は、マルチプレクサ３に対して選択指示Ｓ１を出力すると共に、その選択指示Ｓ１の内容を順次変更することにより、図２の波形上に黒点で示すように、Ｒ相、Ｓ相、Ｔ相、Ｔ相、Ｓ相、Ｒ相、Ｒ相、Ｓ相、Ｔ相、・・・というように計測の周期Ｔ１毎にこの周期Ｔ１内におけるサンプリング対象としての電圧および電流の相の順序が入れ替わる（相選択が行われる）と共に、いずれの相においても、サンプリング対象としての交流電圧ｅおよび電流対応電圧ｅｉを一組（一対）サンプリングするサンプリング期間（Ｔｒ，Ｔｓ，Ｔｔ：時間はそれぞれＴ１／３）毎に、先の（対応する相についての１つ直前の）サンプリング期間における順序と逆の順序で交流電圧ｅと電流対応電圧ｅｉとが半分の時間（Ｔ１／６）ずつ出力されるようにマルチプレクサ３を制御する。具体的には、制御部５は、Ｒ相がサンプリング対象となるときは、同図に示すように、サンプリング期間Ｔｒ１においては交流電圧ｅ１および電流対応電圧ｅｉ１がこの順序で、また次のサンプリング期間Ｔｒ２においては電流対応電圧ｅｉ１および交流電圧ｅ１がこの順序で、さらに次のサンプリング期間Ｔｒ３においては交流電圧ｅ１および電流対応電圧ｅｉ１がこの順序で、さらにその後のサンプリング期間Ｔｒ４，Ｔｒ５においても同様にして、先のサンプリング期間における順序とは逆の順序で電流対応電圧ｅｉ１および交流電圧ｅ１がそれぞれ時間Ｔ１／６ずつ出力されるようにマルチプレクサ３を制御する。また、制御部５は、Ｓ相がサンプリング対象となるときにも、Ｒ相のときと同様にして、各サンプリング期間Ｔｓ１，Ｔｓ２，Ｔｓ３，Ｔｓ４，Ｔｓ５において、交流電圧ｅ２および電流対応電圧ｅｉ２を、その順序を交互に入れ替えつつ出力されるようにマルチプレクサ３を制御する。さらに、制御部５は、Ｔ相がサンプリング対象となるときにも同様にして、各サンプリング期間Ｔｔ１，Ｔｔ２，Ｔｔ３，Ｔｔ４，Ｔｔ５，Ｔｔ６において、交流電圧ｅ３および電流対応電圧ｅｉ３を、その順序を交互に入れ替えつつ出力されるようにマルチプレクサ３を制御する。
【００２４】
また、制御部５は、図２に示すように、Ａ／Ｄ変換部４に対してトリガ信号Ｓ３を時間Ｔ１／６の周期で出力する。また、制御部５は、トリガ信号Ｓ３を出力する都度、Ａ／Ｄ変換部４によって生成されるディジタルデータＤｖを入力すると共にメモリ６に記憶させる。この場合、制御部５は、入力したディジタルデータＤｖがいずれの相のどの電圧（交流電圧ｅまたは電流対応電圧ｅｉ）を示すデータであるかを判別して、各相毎に、交流電圧ｅおよび電流対応電圧ｅｉに分け、かつ各サンプリング期間に対応させてメモリ６に記憶させる。
【００２５】
また、制御部５は、メモリ６に記憶されている交流電圧ｅおよび電流対応電圧ｅｉを示す両ディジタルデータＤｖをサンプリング期間毎に読み出すと共に、この両ディジタルデータＤｖに基づいて（具体的には、両データを乗算することにより）、各相についての各サンプリング期間毎の電力値を算出する。さらに、制御部５は、算出した各相についての各サンプリング期間毎の電力値を平均することにより、Ｒ相，Ｓ相およびＴ相毎の有効電力Ｐｒ，Ｐｓ，Ｐｔを算出してメモリ６に記憶させる。また、制御部５は、算出した有効電力Ｐｒ，Ｐｓ，Ｐｔを出力部７に出力する。本例では、一例として出力部７は、ディスプレイで構成されている。したがって、制御部５は、有効電力Ｐｒ，Ｐｓ，Ｐｔを数字やグラフ等の目視可能な形態で出力部７に表示させる。
【００２６】
続いて、電力計１の動作について、図面を参照して説明する。なお、一例として、計測対象としてのＲ相、Ｓ相およびＴ相の各相についての交流電圧ｅ１，ｅ２，ｅ３の実効値がそれぞれＥｒ，Ｅｓ，Ｅｔであり、交流電流ｉ１，ｉ２，ｉ３の実効値がそれぞれＩｒ，Ｉｓ，Ｉｔであるものとする。また、各交流電圧ｅ１，ｅ２，ｅ３は、交流電流ｉ１，ｉ２，ｉ３に対して角度θだけその位相が進んでいるものとする。
【００２７】
電力計１の作動状態では、Ｉ／Ｖ変換部２が、Ｒ相、Ｓ相およびＴ相の各交流電流ｉ１，ｉ２，ｉ３をそれぞれ電流対応電圧ｅｉ１，ｅｉ２，ｅｉ３に変換して出力する。一方、制御部５は、選択指示Ｓ１をマルチプレクサ３に出力し、かつトリガ信号Ｓ３をＡ／Ｄ変換部４に出力することにより、Ｒ相、Ｓ相、Ｔ相、Ｔ相、Ｓ相、Ｒ相、Ｒ相、Ｓ相、Ｔ相、・・・という順序で各相における交流電圧ｅおよび電流対応電圧ｅｉを示すディジタルデータＤｖをＡ／Ｄ変換部４に生成させると共に、このディジタルデータＤｖを入力してメモリ６に記憶させる。また、制御部５は、この動作を各相について複数周期（例えば、十数周期）実行する。
【００２８】
次いで、制御部５は、メモリ６に記憶されている交流電圧ｅおよび電流対応電圧ｅｉを示すディジタルデータＤｖをサンプリング期間毎に読み出すと共に、この両ディジタルデータＤｖを互いに乗算することにより、各相についての各サンプリング期間毎の電力値（有効電力値）を算出する。次いで、制御部５は、算出した各相についての各サンプリング期間毎の電力値を平均することにより、Ｒ相，Ｓ相およびＴ相毎の有効電力Ｐｒ，Ｐｓ，Ｐｔを算出してメモリ６に記憶させる。
【００２９】
この場合、例えば、図２に示すように、マルチプレクサ３の切換周期（時間Ｔ１／６）に起因して生じる位相差をα、各相についてのサンプリング期間数を２Ｎとすると、Ｒ相における奇数番目のサンプリング周期Ｔｒ１，Ｔｒ３，Ｔｒ５，・・・，（２Ｎ−１）における有効電力Ｐｒｏｄの平均は、下記の式で表される。
Ｐｒｏｄ＝Ｅｒ・Ｉｒ・ｃｏｓ（θ−α）
【００３０】
一方、偶数番目のサンプリング周期Ｔｒ２，Ｔｒ４，・・・，２Ｎにおける有効電力Ｐｒｅｖの平均は、下記の式で表される。
Ｐｒｅｖ＝Ｅｒ・Ｉｒ・ｃｏｓ（θ＋α）
したがって、Ｒ相全体としての有効電力Ｐｒは、下記の式で表される。
Ｐｒ＝１／２・（Ｅｒ・Ｉｒ・ｃｏｓ（θ−α）＋Ｅｒ・Ｉｒ・ｃｏｓ（θ＋α））
＝Ｅｒ・Ｉｒ・ｃｏｓθ・ｃｏｓα
ここで、一般的に、αが１よりも十分に小さいため、下記の式が成立する。
ｃｏｓα≒１
このため、有効電力Ｐｒは、下記の式で表される。
Ｐｒ≒Ｅｒ・Ｉｒ・ｃｏｓθ
【００３１】
したがって、Ｉ／Ｖ変換部２による変換時間やマルチプレクサ３の切換選択の周期（時間Ｔ１／６）に起因して生じる位相差（サンプリング位相）αが存在していたとしても、制御部５は、上記の算出方法によって有効電力を算出することにより、サンプリング位相が存在しないときの有効電力、すなわち交流電圧ｅ１，ｅ２，ｅ３と交流電流ｉ１，ｉ２，ｉ３とを同一タイミングでサンプリングする構成によって得られる有効電力（Ｐｒ＝Ｅｒ・Ｉｒ・ｃｏｓθ）と殆ど同一の値の有効電力を計測（算出）することができる。
【００３２】
また、制御部５は、Ｒ相と同様にして、Ｓ相およびＴ相の各有効電力Ｐｓ，Ｐｔを算出する。この場合、Ｓ相全体としての有効電力ＰｓおよびＴ相全体としての有効電力Ｐｔについても、下記の各式でそれぞれ表される。
【００３３】
Ｐｓ≒Ｅｓ・Ｉｓ・ｃｏｓθ
Ｐｔ≒Ｅｔ・Ｉｔ・ｃｏｓθ
したがって、いずれもサンプリング位相が存在していないときの有効電力（Ｐｓ＝Ｅｓ・Ｉｓ・ｃｏｓθ、Ｐｔ＝Ｅｔ・Ｉｔ・ｃｏｓθ）と殆ど同一の値の有効電力を計測（算出）することができる。
【００３４】
続いて、制御部５は、算出したＲ相、Ｓ相およびＴ相の各有効電力Ｐｒ，Ｐｓ，Ｐｔを出力部７に表示させる。これにより、電力計１によるＲ相、Ｓ相およびＴ相の各有効電力Ｐｒ，Ｐｓ，Ｐｔの計測が完了する。
【００３５】
このように、この電力計１によれば、入力しているＲ相、Ｓ相およびＴ相の交流電流ｉ１，ｉ２，ｉ３に対応する電流対応電圧ｅｉ１，ｅｉ２，ｅｉ３および交流電圧ｅ１，ｅ２，ｅ３をサンプリング期間Ｔｒ，Ｔｓ，Ｔｔ毎に先のサンプリング期間における順序とは逆の順序で出力するマルチプレクサ３と、このマルチプレクサ３によって出力された電流対応電圧ｅｉ１，ｅｉ２，ｅｉ３および交流電圧ｅ１，ｅ２，ｅ３をディジタルデータＤｖに順次変換して出力するＡ／Ｄ変換部４と、このＡ／Ｄ変換部４によって出力されたディジタルデータＤｖをメモリ６に記憶させる制御部５とを備え、制御部５が、メモリ６に記憶された電流対応電圧ｅｉ１，ｅｉ２，ｅｉ３および交流電圧ｅ１，ｅ２，ｅ３の各ディジタルデータＤｖに基づいて、Ｒ相、Ｓ相およびＴ相毎に、各サンプリング期間Ｔｒ，Ｔｓ，Ｔｔ毎の電力値を算出すると共に各サンプリング期間Ｔｒ，Ｔｓ，Ｔｔ毎の電力値を平均して交流の各有効電力Ｐｒ，Ｐｓ，Ｐｔを計測することにより、マルチプレクサ３およびＡ／Ｄ変換部４をそれぞれ１つで構成したことに起因してマルチプレクサ３の切換選択の周期（時間Ｔ１／６）に相当する位相差（サンプリング位相）αが交流電流ｉ１，ｉ２，ｉ３および交流電圧ｅ１，ｅ２，ｅ３の間に存在していたとしても、サンプリング位相が存在しないときの有効電力、すなわち交流電圧ｅ１，ｅ２，ｅ３と交流電流ｉ１，ｉ２，ｉ３とを同一タイミングでサンプリングして得られる有効電力（Ｐｒ＝Ｅｒ・Ｉｒ・ｃｏｓθ）と殆ど同一の値の有効電力を計測することができる。したがって、この電力計１によれば、構成部品数を低減しつつ各回路４１〜４３に入力している有効電力を高精度で計測することができる。
【００３６】
次いで、添付図面を参照して、本発明に係る電力計の最良の他の形態について説明する。
【００３７】
まず、本発明の電力計１Ａの構成について、図面を参照して説明する。なお、電力計１と同一の構成については同一の符号を付して重複する説明を省略する。
【００３８】
電力計１Ａは、図３に示すように、Ｉ／Ｖ変換部２Ａ、マルチプレクサ３、Ａ／Ｄ変換部４、制御部５Ａ、メモリ６および出力部７を備え、一例として、交流電源の系統１に接続された２つ（本発明における「複数」の一例）の回路４１，４２にそれぞれ入力している各有効電力Ｐ１，Ｐ２、および系統２に接続された２つ（本発明における「複数」の一例）の回路４３，４４にそれぞれ入力している各有効電力Ｐ３，Ｐ４を計測可能に構成されている。すなわち、電力計１Ａは、複数の交流供給系統の各々にそれぞれ複数接続された複数の回路にそれぞれ入力している各有効電力Ｐを同時に計測可能な多回路形電力計として構成されている。この場合、系統１は交流電源３１に接続され、系統２は交流電源３２に接続されている。また、系統１，２の各電力供給線には、交流電源３１，３２から出力される各交流電圧を交流電圧ｅ１，ｅ２にそれぞれ変換する計器用変圧器１１，１２が接続されている。また、回路４１，４２，４３，４４に接続された各電力供給線には、回路４１，４２，４３，４４に入力される交流電流を交流電流ｉ１，ｉ２，ｉ３，ｉ４に変換する計器用変流器２１，２２，２３，２４が配置されている。
【００３９】
Ｉ／Ｖ変換部２Ａは、交流電流ｉ１，ｉ２，ｉ３，ｉ４（以下、特に区別しないときには「交流電流ｉ」ともいう）を入力して、その電流値に比例して電圧値が変化する電流対応電圧ｅｉ１，ｅｉ２，ｅｉ３，ｅｉ４（以下、特に区別しないときには「電流対応電圧ｅｉ」ともいう）にそれぞれ変換して出力する。マルチプレクサ３は、一例として６入力１出力の構成を備え、入力した交流電圧ｅ１，ｅ２（以下、特に区別しないときには「交流電圧ｅ」ともいう）と、入力した電流対応電圧ｅｉ１，ｅｉ２，ｅｉ３，ｅｉ４との内の１つを、入力した選択指示Ｓ１の内容に従って切換選択して選択出力（本発明におけるマルチプレクサによって出力された交流電圧および各電流対応電圧）Ｓ２として出力する。Ａ／Ｄ変換部４は、トリガ信号Ｓ３を入力したタイミングで、入力している選択出力Ｓ２をその電圧値に応じたディジタルデータＤｖに変換して出力する。
【００４０】
制御部５Ａは、選択指示Ｓ１を出力すると共に、その選択指示Ｓ１の内容を順次変更することにより、マルチプレクサ３に対する制御を実行する。具体的には、制御部５Ａは、図４の波形上に黒点で示すように、系統１、系統２、系統２、系統１、系統１、系統２、系統２、系統１、・・・というように計測の周期Ｔ毎にこの周期Ｔ内におけるサンプリング対象としての系統の順序が入れ替わる（系統選択が行われる）と共に、いずれの系統においても、サンプリング対象としての交流電圧ｅおよび電流対応電圧ｅｉを一組サンプリングするサンプリング期間（Ｔ１，Ｔ２）毎に、先の（対応する系統についての１つ直前の）サンプリング期間における交流電圧ｅおよび電流対応電圧ｅｉのサンプリングの順序と逆の順序で出力されるようにマルチプレクサ３を制御する。この場合、測定部５は、各交流電圧ｅおよび各電流対応電圧ｅｉが等間隔（Ｔ／６）で出力されるようにマルチプレクサ３を制御する。具体的には、制御部５Ａは、系統１がサンプリング対象となるときは、同図に示すように、サンプリング期間Ｔ１−１においては交流電圧ｅ１、電流対応電圧ｅｉ１および電流対応電圧ｅｉ２がこの順序で、また次のサンプリング期間Ｔ１−２においては電流対応電圧ｅｉ２、電流対応電圧ｅｉ１および交流電圧ｅ１がこの順序で、さらに次のサンプリング期間Ｔ１−３においては交流電圧ｅ１、電流対応電圧ｅｉ１および電流対応電圧ｅｉ２がこの順序で、さらにその後のサンプリング期間Ｔ１−４，Ｔ１−５においても同様にして、先のサンプリング期間における順序とは逆の順序で交流電圧ｅ１および電流対応電圧ｅｉ１，ｅｉ２がそれぞれ時間Ｔ／６ずつ出力されるようにマルチプレクサ３を制御する。また、制御部５Ａは、系統２がサンプリング対象となるときにも、系統１のときと同様にして、各サンプリング期間Ｔ２−１，Ｔ２−２，Ｔ２−３，Ｔ２−４，Ｔ２−５，Ｔ２−６において、交流電圧ｅ２、電流対応電圧ｅｉ３および電流対応電圧ｅｉ４を、その順序を交互に入れ替えつつ出力されるようにマルチプレクサ３を制御する。
【００４１】
また、制御部５Ａは、図４に示すように、Ａ／Ｄ変換部４に対してトリガ信号Ｓ３を時間Ｔ／６の周期で出力する。また、制御部５Ａは、トリガ信号Ｓ３を出力する都度、Ａ／Ｄ変換部４によって生成されるディジタルデータＤｖを入力すると共にメモリ６に記憶させる。この場合、制御部５Ａは、入力したディジタルデータＤｖがいずれの系統におけるいずれの回路のどの電圧（交流電圧ｅまたは電流対応電圧ｅｉ）を示すデータであるかを判別して、各系統および各回路毎に、交流電圧ｅおよび電流対応電圧ｅｉに分け、かつ各サンプリング期間に対応させて、いずれのディジタルデータＤｖであるかを識別可能にメモリ６に記憶させる。
【００４２】
また、制御部５Ａは、メモリ６に記憶されている各回路４１〜４４毎に対応する交流電圧ｅおよび電流対応電圧ｅｉを示す両ディジタルデータＤｖをサンプリング期間毎に読み出すと共に、この両ディジタルデータＤｖに基づいて（具体的には、両データを乗算することにより）、各回路４１〜４４についての各サンプリング期間毎の電力値を算出する。さらに、制御部５Ａは、算出した各回路についての各サンプリング期間毎の電力値を平均することにより、回路４１，４２，４３，４４毎の有効電力Ｐ１，Ｐ２，Ｐ３，Ｐ４を算出してメモリ６に記憶させる。また、制御部５Ａは、算出した有効電力Ｐ１，Ｐ２，Ｐ３，Ｐ４を出力部７に出力する。本例では、一例として、出力部７は、ディスプレイで構成されている。したがって、制御部５Ａは、有効電力Ｐ１，Ｐ２，Ｐ３，Ｐ４を数字やグラフ等の目視可能な形態で出力部７に表示させる。
【００４３】
続いて、電力計１Ａの動作について、図面を参照して説明する。なお、一例として、計測対象としての各系統１，２の交流電圧ｅ１，ｅ２の実効値がそれぞれＥ１，Ｅ２であり、交流電流ｉ１，ｉ２，ｉ３，ｉ４の実効値がそれぞれＩ１，Ｉ２，Ｉ３，Ｉ４であるものとする。また、交流電流ｉ１は交流電圧ｅ１に対して角度θ１、交流電流ｉ２は交流電圧ｅ１に対して角度θ２、交流電流ｉ３は交流電圧ｅ２に対して角度θ３、および交流電流ｉ４は交流電圧ｅ２に対して角度θ４だけ遅れているものとする。
【００４４】
電力計１Ａの作動状態では、Ｉ／Ｖ変換部２Ａが、回路４１，４２，４３，４４に対応する各交流電流ｉ１，ｉ２，ｉ３，ｉ４をそれぞれ電流対応電圧ｅｉ１，ｅｉ２，ｅｉ３，ｅｉ４に変換して出力する。一方、制御部５Ａは、選択指示Ｓ１をマルチプレクサ３に出力し、かつトリガ信号Ｓ３をＡ／Ｄ変換部４に出力することにより、系統１、系統２、系統２、系統１、系統１、系統２、系統２、・・・という順序で、かつ各系統における交流電圧ｅおよび電流対応電圧ｅｉを先のサンプリング期間における交流電圧ｅおよび電流対応電圧ｅｉのサンプリングの順序と逆の順序でディジタルデータＤｖをＡ／Ｄ変換部４に生成させると共に、このディジタルデータＤｖを入力してメモリ６に記憶させる。また、制御部５Ａは、この動作を各系統（各回路）について複数周期（例えば、十数周期）実行する。
【００４５】
次いで、制御部５Ａは、メモリ６に記憶されている回路４１，４２，４３，４４毎の交流電圧ｅおよび電流対応電圧ｅｉを示すディジタルデータＤｖをサンプリング期間毎に読み出すと共に、この両ディジタルデータＤｖを互いに乗算することにより、回路４１，４２，４３，４４についての各サンプリング期間毎の電力値（有効電力値）を算出する。次いで、制御部５Ａは、算出した回路４１，４２，４３，４４についての各サンプリング期間毎の電力値を平均することにより、回路４１，４２，４３，４４毎の有効電力Ｐ１，Ｐ２，Ｐ３，Ｐ４を算出してメモリ６に記憶させる。
【００４６】
この場合、例えば、図４に示すように、マルチプレクサ３の切換周期（時間Ｔ／６）および切り換える順序に起因して、回路４１における交流電圧ｅ１と交流電流ｉ１とのサンプリングの位相差がαとなり、回路４２における交流電圧ｅ１と交流電流ｉ２とのサンプリングの位相差が２αとなる。また、各回路についてのサンプリング期間数を２Ｎとすると、系統１の回路４１における奇数番目のサンプリング周期Ｔ１−１，Ｔ１−３，Ｔ１−５，・・・，（２Ｎ−１）における有効電力Ｐｏｄ１の平均は、下記の式で表される。
Ｐｏｄ１＝Ｅ１・Ｉ１・ｃｏｓ（θ１−α）
【００４７】
一方、偶数番目のサンプリング周期Ｔ１−２，Ｔ１−４，・・・，２Ｎにおける有効電力Ｐｅｖ１の平均は、下記の式で表される。
Ｐｅｖ１＝Ｅ１・Ｉ１・ｃｏｓ（θ１＋α）
したがって、回路４１全体としての有効電力Ｐ１は、下記の式で表される。
Ｐ１＝１／２・（Ｅ１・Ｉ１・ｃｏｓ（θ１−α）＋Ｅ１・Ｉ１・ｃｏｓ（θ１＋α））
＝Ｅ１・Ｉ１・ｃｏｓθ１・ｃｏｓα
ここで、一般的に、αが１よりも十分に小さいため、下記の式が成立する。
ｃｏｓα≒１
このため、有効電力Ｐ１は、下記の式で表される。
Ｐ１≒Ｅ１・Ｉ１・ｃｏｓθ１
【００４８】
また、系統１の回路４２では、奇数番目のサンプリング周期Ｔ１−１，Ｔ１−３，Ｔ１−５，・・・，（２Ｎ−１）における有効電力Ｐｏｄ２の平均は、下記の式で表される。
Ｐｏｄ２＝Ｅ２・Ｉ２・ｃｏｓ（θ２−２α）
【００４９】
一方、偶数番目のサンプリング周期Ｔ１−２，Ｔ１−４，・・・，２Ｎにおける有効電力Ｐｅｖ２の平均は、下記の式で表される。
Ｐｅｖ２＝Ｅ２・Ｉ２・ｃｏｓ（θ２＋２α）
したがって、回路４２全体としての有効電力Ｐ２は、下記の式で表される。
Ｐ２＝１／２・（Ｅ２・Ｉ２・ｃｏｓ（θ２−２α）＋Ｅ２・Ｉ２・ｃｏｓ（θ２＋２α））
＝Ｅ２・Ｉ２・ｃｏｓθ２・ｃｏｓ（２α）
ここで、一般的に、２αが１よりも十分に小さいため、下記の式が成立する。
ｃｏｓ（２α）≒１
このため、有効電力Ｐ２は、下記の式で表される。
Ｐ２≒Ｅ２・Ｉ２・ｃｏｓθ２
【００５０】
したがって、Ｉ／Ｖ変換部２Ａによる変換時間やマルチプレクサ３の切換選択の周期（時間Ｔ／６）に起因して生じる位相差（サンプリング位相）α、２αが存在していたとしても、制御部５Ａは、上記の算出方法によって有効電力を算出することにより、サンプリング位相が存在しないときの有効電力、すなわち交流電圧ｅ１，ｅ２と交流電流ｉ１，ｉ２，ｉ３，ｉ４とを同一タイミングでサンプリングする構成によって得られる有効電力（Ｐ１＝Ｅ１・Ｉ１・ｃｏｓθ１、Ｐ２＝Ｅ２・Ｉ２・ｃｏｓθ２）と殆ど同一の値の有効電力を計測（算出）することができる。
【００５１】
また、制御部５Ａは、系統１の回路４１，４２と同様にして、系統２の回路４３，４４の有効電力Ｐ３，Ｐ４を算出する。この場合、回路４３全体としての有効電力Ｐ３および回路４４全体としての有効電力Ｐ４についても、下記の各式でそれぞれ表される。
Ｐ３≒Ｅ３・Ｉ３・ｃｏｓθ３
Ｐ４≒Ｅ４・Ｉ４・ｃｏｓθ４
【００５２】
したがって、いずれもサンプリング位相が存在していないときの有効電力（Ｐ３＝Ｅ３・Ｉ３・ｃｏｓθ３、Ｐ４＝Ｅ４・Ｉ４・ｃｏｓθ４）と殆ど同一の値の有効電力を計測（算出）することができる。
【００５３】
続いて、制御部５Ａは、算出した回路４１，４２，４３，４４の各有効電力Ｐ１，Ｐ２，Ｐ３，Ｐ４を出力部７に表示させる。これにより、電力計１Ａによる回路４１〜４４の各有効電力（本発明における交流の電力に相当する）Ｐ１〜Ｐ４の計測が完了する。
【００５４】
このように、この電力計１Ａによれば、マルチプレクサ３が、系統１の交流電圧ｅ１、系統１に接続された回路４１，４２を流れる交流電流ｉ１，ｉ２に対応する各電流対応電圧ｅｉ１，ｅｉ２、系統２の交流電圧ｅ２、および系統２に接続された回路４３，４４を流れる交流電流ｉ３，ｉ４に対応する各電流対応電圧ｅｉ３，ｅｉ４をサンプリング期間毎に先のサンプリング期間における順序と逆の順序で出力し、Ａ／Ｄ変換部４が、マルチプレクサ３によって出力された交流電圧ｅ１，ｅ２および電流対応電圧ｅｉ１，ｅｉ２，ｅｉ３，ｅｉ４をそれぞれディジタルデータＤｖに順次変換して出力し、制御部５Ａが、Ａ／Ｄ変換部４によって出力されたディジタルデータＤｖをメモリ６に記憶させ、かつメモリ６に記憶された交流電圧ｅ１，ｅ２および電流対応電圧ｅｉ１，ｅｉ２，ｅｉ３，ｅｉ４の各ディジタルデータＤｖに基づいて回路４１，４２についてのサンプリング期間Ｔ１毎の電力値および回路４３，４４についてのサンプリング期間Ｔ２毎の電力値を算出すると共にサンプリング期間毎に算出した電力値を平均して回路４１〜４４に入力している交流の各電力を計測することにより、マルチプレクサ３およびＡ／Ｄ変換部４をそれぞれ１つで構成したことに起因してマルチプレクサ３の切換選択の周期および切換選択の順番に対応する位相差（サンプリング位相）α，２αが回路４１，４２，４３，４４に対応する交流の電圧ｅ１，ｅ２および電流ｉ１，ｉ２，ｉ３，ｉ４の間に存在していたとしても、サンプリング位相が存在しないときの有効電力、すなわち交流電圧ｅ１，ｅ２と交流電流ｉ１，ｉ２，ｉ３，ｉ４とを同一タイミングでサンプリングして得られる有効電力（Ｐ１＝Ｅ１・Ｉ１・ｃｏｓθ１，Ｐ２＝Ｅ２・Ｉ２・ｃｏｓθ２，Ｐ３＝Ｅ３・Ｉ３・ｃｏｓθ３，Ｐ４＝Ｅ４・Ｉ４・ｃｏｓθ４）と殆ど同一の値の電力を計測することができる。したがって、この電力計１Ａによれば、構成部品数を低減しつつ多回路（系統１についての回路４１，４２、系統２についての回路４３，４４）に入力されている各有効電力を高い精度で計測することができる。
【００５５】
なお、本発明は、上記の構成に限定されない。例えば、上記の電力計１として、１回目のサンプリング順序を、交流電圧ｅ１、電流対応電圧ｅｉ１、交流電圧ｅ２、電流対応電圧ｅｉ２、交流電圧ｅ３、電流対応電圧ｅｉ３として、２回目のサンプリング順序を、電流対応電圧ｅｉ３、交流電圧ｅ３、電流対応電圧ｅｉ２、交流電圧ｅ２、電流対応電圧ｅｉ１、交流電圧ｅ１としてサンプリングする例について説明したが、これに限らない。１回目のサンプリング順序と２回目のサンプリング順序とを逆にする限り、任意のサンプリング順序を採用することができる。例えば、上記の例では、１回目の順序を、交流電圧ｅ１、交流電圧ｅ２、交流電圧ｅ３、電流対応電圧ｅｉ１、電流対応電圧ｅｉ２、電流対応電圧ｅｉ３として、２回目のサンプリング順序を、電流対応電圧ｅｉ３、電流対応電圧ｅｉ２、電流対応電圧ｅｉ１、交流電圧ｅ３、交流電圧ｅ２、交流電圧ｅ１としてサンプリングすることもできる。また、１回目のサンプリング順序と２回目のサンプリング順序とを逆にする限り、交流電圧と電流対応電圧とのサンプリング順序はランダムであってもよい。同様にして、上記の電力計１Ａについても、１回目のサンプリング順序（上記の例では、交流電圧ｅ１、電流対応電圧ｅｉ１、・・・電流対応電圧ｅｉ４）と２回目のサンプリング順序（上記の例では、電流対応電圧ｅｉ４、電流対応電圧ｅｉ３、・・・交流電圧ｅ１）とを逆にする限り、交流電圧と電流対応電圧とのサンプリング順序を任意に規定することができる。
【００５６】
さらに、例えば、Ｒ相、Ｓ相およびＴ相の各相についての有効電力Ｐｒ，Ｐｓ，Ｐｔを計測する電力計１について説明したが、いずれか一相についての有効電力を計測するように電力計１を構成することもできるし、単相の有効電力を計測するように構成することもできる。この場合、マルチプレクサ３は、６入力１出力の構成に代えて、２入力１出力で構成することができる。また、入力数に応じて複数入力１出力で構成することができるのは勿論である。また、例えば、系統１，２の２系統について計測する電力計１Ａについて説明したが、いずれか１系統について計測するように電力計１Ａを構成することもできるし、２系統を超える複数の系統について計測するように構成することもできる。この場合、マルチプレクサ３は、６入力１出力の構成に代えて、入力数に応じて複数入力１出力で構成することができる。また、各系統１，２に２つの回路が接続されている例について上記したが、１つの系統に２つを超える複数の回路が接続されているときに各回路の有効電力を計測する構成を採用することもできる。また、１回目のサンプリング順序と２回目のサンプリング順序とを逆にする限り、系統１に１つの回路が接続され、かつ系統２に複数の回路が接続されている状態の各回路についても、構成部品数を低減しつつ各有効電力を高い精度で計測することができる。
【００５７】
また、上記の電力計１（１Ａ）は、無効電力についても、有効電力のときと同様にして計測することもできる。さらに、出力部７としてディスプレイを使用して、計測した各有効電力Ｐｒ，Ｐｓ，Ｐｔ（Ｐ１，Ｐ２，Ｐ３，Ｐ４）を目視可能な形態で表示する例について説明したが、プリンタ等の印刷機で出力部７を構成することもできる。また、出力部７を設けることなく、制御部５（５Ａ）から各有効電力Ｐｒ，Ｐｓ，Ｐｔ（Ｐ１，Ｐ２，Ｐ３，Ｐ４）を示すデータを外部装置に直接出力する構成を採用することもできる。
【図面の簡単な説明】
【００５８】
【図１】電力計１の構成を示すブロック図である。
【図２】電力計１の電力計測動作を説明するためのタイミングチャートである。
【図３】電力計１Ａの構成を示すブロック図である。
【図４】電力計１Ａの電力計測動作を説明するためのタイミングチャートである。
【符号の説明】
【００５９】
１，１Ａ  電力計
３  マルチプレクサ
４  Ａ／Ｄ変換部
５，５Ａ  制御部
６  メモリ
Ｄｖ  ディジタルデータ
ｅ１，ｅ２，ｅ３  交流電圧
ｅｉ１，ｅｉ２，ｅｉ３，ｅｉ４  電流対応電圧
ｉ１〜ｉ４  交流電流
Ｔｒ，Ｔｓ，Ｔｔ，Ｔ１，Ｔ２  サンプリング期間
Ｐｒ，Ｐｓ，Ｐｔ，Ｐ１〜Ｐ４  有効電力
【図１】
2005010151.tif 000003
【図２】
2005010151.tif 000004
【図３】
2005010151.tif 000005
【図４】
2005010151.tif 000006